(57)【要約】【課題】放熱性を良好にすることが可能な照明装置、口金付ランプおよび照明器具を提供する。【解決手段】照明装置は、一対の光源ユニット１４と放熱部１５を具備し、一対の光源ユニット１４は、固体発光素子１１が配設され、固体発光素子に熱的に接続された熱伝導部１２を有するとともに、熱伝導部が所定の間隔Ａを有して対向するように配設される。放熱部１５は、前記一対の光源ユニットの間にそれぞれの前記熱伝導部と熱伝導が可能になるように配設され、フィン面が鉛直方向に対し略平行となるように配設された複数の放熱フィン１５ａを有し、各放熱フィン間を介し前記光源ユニットの間が連通するように設けられる。【選択図】        図１
2012074344.tif 000002
【特許請求の範囲】
【請求項１】
固体発光素子が配設され、固体発光素子に熱的に接続された熱伝導部を有するとともに、熱伝導部が所定の間隔を有して対向するように配設された一対の光源ユニットと；
前記一対の光源ユニットの間にそれぞれの前記熱伝導部と熱伝導が可能になるように配設
され、フィン面が鉛直方向に対し略平行となるように配設された複数の放熱フィンを有し、各放熱フィン間を介し前記光源ユニットの間が連通するように設けられた放熱部と；
を具備していることを特徴とする照明装置。
【請求項２】
正面側に固体発光素子が配設され、背面側に熱伝導部を有するとともに、背面側が所定の
間隔を有して対向するように配設された矩形状の一対の光源ユニットと；
前記一対の光源ユニットの間にそれぞれの前記熱伝導部と熱伝導が可能になるように配設
され、前記光源ユニットの長手方向に略直交して配設された複数の放熱フィンを有し、各
放熱フィン間を介し前記光源ユニットの間が下方から上方へ向かって連通するように設け
られた放熱部と；
を具備していることを特徴とする照明装置。
【請求項３】
前記光源ユニットの間隔は、下方が狭く上方が広くなるように構成したことを特徴とする
請求項１または２に記載の照明装置。
【請求項４】
請求項１ないし３いずれか一に記載の照明装置と；
前記光源ユニットに電源を供給し、前記光源ユニットよりも長手方向に突出しない口金と
；
を具備していることを特徴とする口金付ランプ。
照明装置。
【請求項５】
器具本体と；
請求項４に記載の口金付ランプを装着するソケットと；
を具備していることを特徴とする照明器具。
【発明の詳細な説明】
【技術分野】
【０００１】
本発明の実施形態は、発光ダイオード等の固体発光素子を光源とする照明装置、口金付
ランプおよび照明器具に関する。
【背景技術】
【０００２】
近年、フィラメント電球や蛍光ランプに代わって、寿命が長く、また消費電力の少ない
固体発光素子である発光ダイオードを光源として採用した照明器具やＬＥＤランプ等が商
品化されている。また、照明器具に広く使用されている直管形の蛍光ランプに代えて使用
することが可能な細く長い直管状をなすＬＥＤランプが提案されている。また、必要な個数の正六角形状の光源ユニットを組み合わせ自在とした照明装置、さらには、発光ダイオードを用いた街路灯なども提案されている。
【先行技術文献】
【特許文献】
【０００３】
【特許文献１】特開２００９−１４０８９５号公報
【特許文献２】特開２０１０−１２３３５９号公報
【特許文献３】特許第４４８６５３５号公報
【特許文献４】特開２０１０−１７０９５４号公報
【発明の概要】
【発明が解決しようとする課題】
【０００４】
しかしながら、光源となる発光ダイオードは、その温度が上昇するに従い光出力が低下し発光効率が低下するために、温度上昇を抑制することが求められている。また、この種の直管状をなすＬＥＤランプは、光源となる発光ダイオードが、ランプの長手方向に沿って直線状に配列されており、特に、発光ダイオードは輝度が高く、また放射される光線の直進性が強いため、光源直下に光が集中し周囲の明るさが不足し、蛍光ランプに比較した場合に光の照射角度が狭くなる問題がある。このため、この種の直管状をなす口金付のＬＥＤランプ含め、固体発光素子を光源とする照明装置においては、照射角度を如何に広くするかが重要な課題となっている。
【０００５】
本発明は、上記課題に鑑みてなされたもので、放熱性を良好にすることが可能な照明装置、口金付ランプおよび照明器具を提供しようとするものである。
【課題を解決するための手段】
【０００６】
本発明の実施形態における照明装置は、一対の光源ユニットと放熱部を具備し、一対の光源ユニットは、固体発光素子が配設され、固体発光素子に熱的に接続された熱伝導部を有するとともに、熱伝導部が所定の間隔を有して対向するように配設される。放熱部は、前記一対の光源ユニットの間にそれぞれの前記熱伝導部と熱伝導が可能になるように配設され、フィン面が鉛直方向に対し略平行となるように配設された複数の放熱フィンを有し、各放熱フィン間を介し前記光源ユニットの間が連通するように設けられる。
【発明の効果】
【０００７】
本発明の実施形態によれば、放熱性を良好にした照明装置、口金付ランプおよび照明器具を提供することができる。
【図面の簡単な説明】
【０００８】
【図１】第１の実施形態に係る照明装置を、一部を省略して示す斜視図。
【図２】同じく照明装置を示し、（ａ）は一部を省略して示す上面図、（ｂ）は一部    を省略して示す正面図、（ｃ）は本（ｂ）図のｃ−ｃ線に沿う断面図。
【図３】第１の実施形態に係る口金付ランプを、一部を省略して示す斜視図。
【図４】同じく口金付ランプを示し、（ａ）は一部を省略して示す上面図、（ｂ）は    一部を省略して示す正面図、（ｃ）は本（ｂ）図のｃ−ｃ線に沿う断面図、（ｄ）は    口金の縦断面図。
【図５】第１の実施形態に係る照明器具を、一部を省略して示す斜視図。
【図６】同じく照明器具を示し、（ａ）は一部を省略して示す上面図、（ｂ）は一部    を省略して示す正面図、（ｃ）は本（ｂ）のｃ−ｃ線に沿う断面図。
【図７】第１の実施形態に係る照明装置、口金付ランプおよび照明器具の電気回路図    を示し、（ａ）は点灯装置を内蔵した口金付ランプを装着した場合の電気回路図、    （ｂ）は点灯装置を内蔵しない口金付ランプを装着した場合の電気回路図。
【図８】同じく変形例を示し、（ａ）は第１の変形例を示す電気回路図、（ｂ）は第    ２の変形例を示す電気回路図。
【図９】同じく変形例を示し、（ａ）は第３の変形例を示す図２（ｃ）に相当する断    面図、（ｂ）は第４の変形例を示す図２（ｃ）に相当する断面図、（ｃ）は第５の変    形例を示す図２（ｃ）に相当する断面図。
【図１０】同じく変形例を示し、（ａ）は第６の変形例を示す図２（ｃ）に相当する    断面図、（ｂ）は第７の変形例を示し、鉄道車両に本実施形態の照明器具を設置した    状態を概略的に示す断面図。
【図１１】同じく変形例を示し、（ａ）は第８の変形例の要部を示す上面図、（ｂ）    は第９の変形例の要部を示す上面図。
【図１２】同じく変形例を示し、（ａ）は第１０の変形例を示す図２（ｃ）に相当す    る断面図、（ｂ）は第１１の変形例の要部を示す正面図。
【図１３】第２の実施形態に係る照明装置を示し、（ａ）は一部を切り欠いて示す正面図、（ｂ）は下面図。
【図１４】第２の実施形態に係る口金付ランプを示し、（ａ）は一部を切り欠いて示す正面図、（ｂ）は一部を切り欠いて示す下面図。
【図１５】第２の実施形態に係る照明器具を示し、（ａ）は一部を切り欠いて示す正面図、（ｂ）は一部を切り欠いて示す下面図。
【図１６】同じく照明器具２個を略正方形に配設した照明器具示し、（ａ）は一部を切り欠いて示す下面図、（ｂ）は一部を切り欠いて示す右側面図。
【図１７】同じく略正方形に配設した照明器具に対し、さらに照明器具を配設した照明器具を示し、（ａ）は正方形の両側に照明器具を縦にして配設した下面図、（ｂ）は正方形の各辺に照明器具を縦および横にして配設した下面図。
【図１８】同じく照明器具に対し、さらに照明器具または光源ユニットを配設した照明器具を示し、（ａ）は両側に照明器具を横にして配設した下面図、（ｂ）は照明器具に２個の光源ユニットを配設した下面図。
【図１９】第２の実施形態に係る第１の変形例を示し、（ａ）は略正三角形の光源ユニットを２個組み合わせた菱形の照明装置および口金付ランプの下面図、（ｂ）は菱形の口金付ランプ２個を長手方向に配設した照明器具の下面図、（ｃ）は菱形の口金付ランプに対し、略正三角形の光源ユニット２個を配設した大きな略正三角形をなす照明器具の下面図。
【図２０】第２の実施形態に係る第２の変形例を示し、（ａ）は略正六角形の光源ユニット２個を組み合わせた照明装置および口金付ランプの下面図、（ｂ）は口金付ランプ２個を長手方向に配設した照明器具の下面図、（ｃ）は口金付ランプに対し、略正六角形の光源ユニット５個を配設したハニカム状の大きな略正六角形をなす照明器具の下面図。
【図２１】第２の実施形態に係る第３の変形例を示し、（ａ）は円形のリング状をなす光源ユニットを、大小２個組み合わせた照明装置および口金付ランプの下面図、（ｂ）は口金付ランプを用いた街路灯を示す斜視図。
【発明を実施するための形態】
【０００９】
以下、本発明の実施形態につき図に従い説明する。
【第１の実施形態】
【００１０】
本実施形態は、長尺な直線状の光源を用いる各種構成のランプや照明器具、特に空間を
照射するための一般照明用途に使用される照明装置を構成するもので、図１に示すように
、正面側に固体発光素子１１が配設され、背面側に熱伝導部１２を有するとともに、背面
側が所定の間隔Ａを有して対向するように配設された矩形状の一対の光源ユニット１４と
；前記一対の光源ユニットの間にそれぞれの前記熱伝導部と熱伝導が可能になるように配
設され、前記光源ユニットの長手方向に略直交して配設された複数の放熱フィン１５ａを
有し、各放熱フィン間を介し前記光源ユニットの間が下方から上方へ向かって連通するよ
うに設けられた放熱部１５で構成する。
【００１１】
固体発光素子１１は、本実施形態では発光ダイオード（以下「ＬＥＤ１１」と称す）で
構成し、本実施形態では、複数個のＳＭＤタイプのＬＥＤからなる。なお、ＬＥＤは、複
数個のＬＥＤチップおよびこのＬＥＤチップにより励起される蛍光体により白色（昼白色
、昼光色、電球色を含む）を発光するＣＯＢ形であってもよい。これら複数のＬＥＤ１１
は、図２（ｂ）（ｃ）に示すように、基板１１ａの表面に実装されて配設される。
【００１２】
基板１１ａは、電気絶縁性の良好な部材、本実施形態では薄い平板状で長尺な矩形状を
なすガラスエポキシ樹脂からなる回路基板で構成され、その表面に銅箔からなる回路パタ
ーンが形成され、この回路パターン上に複数個の各ＬＥＤ１１が、基板１１ａの長手方向
の軸線ｘ−ｘと略合致させて一列に略直線状をなし、かつ略等間隔に配設される。各ＬＥ
Ｄ１１は直列に接続される。
【００１３】
基板１１ａの裏面側には熱伝導部１２、本実施形態では熱伝導部材１２が設けられる。
熱伝導部材１２は、ヒートシンクを兼ねるもので、本実施形態では、熱伝導性の良好な金
属であるアルミダイカストで構成され、一面に開放された開口部１２ａを有する浅い皿状
をなす長尺の箱体で構成する。この箱体は、基板１１ａを収容できる大きさに形成し、そ
の底面に基板１１ａの裏面側を密着させて固定する。なお、基板１１ａの裏面側と箱体の
底面との間には、シリコーン樹脂等の熱伝導性が良好で電気絶縁性を有する絶縁シートや
接着剤を介在させ、基板１１ａとの電気絶縁を図り、かつ基板１１ａを底面に熱的に密着
させて固定する。これにより、熱伝導部１２が、固体発光素子であるＬＥＤ１１に熱的に接続される。
【００１４】
これにより、正面側に固体発光素子であるＬＥＤ１１が配設され、背面側にＬＥＤ１１
と熱伝導が可能になるように設けられた熱伝導部材１２を有する長尺の矩形状をなす光源
ユニット１４が構成される。この光源ユニット１４は、同様構成のものが一対用意される
。
【００１５】
光源ユニット１４は、背面側が所定の間隔Ａを有して対向するように、換言すれば、表
面側、すなわち、各ＬＥＤ１１が外側に向くように配設されて構成される。そして、一対
の光源ユニット１４は、その間隔Ａが、下方が狭く上方が広くなるように互いに逆向きに
傾斜させて配設し、間隔Ａ内に縦断面が略三角形状をなす長尺の空間部Ｓを形成する。こ
の空間部に連通する下方の狭い開放部を空気流入口１４ａとし、上方の広い開放部を空気
流出口１４ｂとなすように構成する。
【００１６】
放熱部１５は、光源ユニット１４の間隔Ａ内に、光源ユニットの長手方向、すなわち、
各ＬＥＤ１１の配列方向（基板１１ａの長手方向の軸線ｘ−ｘ方向）に対し略直交するように、換言すれば、フィン面が鉛直方向に対し略平行となるように配設され、かつ鉛直方向に所定の隙間Ｂを有して配設された複数枚の放熱フィン１５ａおよび光源ユニット１４の背面側に形成された熱伝導部、すなわち、熱伝導部材１２と熱的に結合する取付部１５ｂを有する。各放熱フィン１５ａは、熱伝導性の良好な金属、本実施形態ではアルミニウム板で構成され、間隔Ａの略三角形状をなす空間部Ｓに合致して収容されるように、略三角形状をなす板状に形成される。各放熱フィンは左右の辺がＬ字形に折り曲げられ、取付部１５ｂが熱伝導部材１２の表面に溶接やネジ止め等の手段によって固定され、放熱フィン１５ａおよび取付部１５ｂは一体化して放熱部１５として構成される。
【００１７】
これにより、放熱部１５の放熱フィン１５ａが、両側の各光源ユニット１４の熱伝導部
材１２と熱伝導が可能になるように連結され、１枚の放熱フィン１５ａによって、一対２
個の光源ユニット１４の放熱が同時に行われるように、換言すれば、一対２個の光源ユニ
ット１４における放熱フィンを１枚の放熱フィン１５ａで共有するように構成する。これ
により部品点数を削減することが可能になり、装置の小形化を図ることも可能になる。
【００１８】
上記により構成された照明装置１０は、一対の光源ユニット１４が、互いに異なる斜め
下方に傾斜した逆富士形に構成され、各光源ユニット１４から放射される光の光軸同士が
なす角αを広くすることによって、広い照射角度をもった照明を行うことが可能になる。
また、各ＬＥＤ１１から発生する熱は、各光源ユニット１４の基板１１ａからアルミニウ
ム製の熱伝導部材１２に伝達され、さらに熱伝導部材に連結されたアルミニウム製の放熱
フィン１５ａに伝達される。そして、放熱フィンに伝達された熱は、下方の空気流入口１
４ａから吸い込まれた外気と熱交換して冷却され、熱交換した空気は上方の空気流出口１
４ｂから外気に放出される。
【００１９】
この際、放熱フィン１５ａは、間隔Ａによって形成された長尺な空間部Ｓ内に、光源ユ
ニット１４の長手方向、すなわち、各ＬＥＤ１１の配列方向に略直交し、鉛直方向に所定
の隙間Ｂを有して多数枚が配設されているので、空気流入口１４ａから吸い込まれた外気
の流れと放熱フィン１５ａの板面とが略平行になるため、吸入された外気の流速が弱めら
れることがなく、煙突効果によって外気が次々とスムーズに空気流入口１４ａから吸い込
まれ、熱交換された空気が空気流出口１４ｂから放出されて効果的な熱交換が行われ、一
対２個の光源ユニット１４における放熱フィンを１枚の放熱フィン１５ａで共有する構成
と相まって、装置の小形化を一層図ることが可能になる。因みに、放熱フィン１５ａを、
各ＬＥＤ１１の配列方向に平行に形成した場合には、放熱の際の空気の流れがスムーズで
なく、冷却効率が低く広い面積の放熱フィンが必要となり装置の大形化を招く。また、フィンとフィン間に形成される溝に塵埃等が付着し、放熱効果が低下するとともに掃除のための手間がかかる問題が生じる。
【００２０】
また、放熱部１５は、下方の空気流入口１４ａが狭く、上方の空気流出口１４ｂが広く
なっているので、空気流入口１４ａの近く、すなわち、三角形状の放熱フィンにおいて面
積の狭くなっている部分の外気の流速は早く、空気流出口１４ｂの近く、すなわち、三角
形状の放熱フィンにおいて面積が広くなっている部分の外気の流速は遅くなっている。こ
れにより、三角形状をなす放熱フィン１５ａは、その上下にわたって略均等な熱交換が行
われる。
【００２１】
上述した良好な熱交換作用により、各ＬＥＤ１１から発生する熱は効果的に外部に放熱
され、各ＬＥＤにおける発光効率の低下を抑制することが可能になった。また、本実施形
態の照明装置１０によれば、背面側が所定の間隔Ａを有して対向するように配設された一
対の光源ユニット１４により、広い照射角度を得ることができるとともに、光源ユニット
１４間に空気流入口１４ａおよび空気流出口１４ｂを設け、光源ユニットの間が下方から
上方へ向かって連通するようにしたので、高い放熱性を発揮することができる。またこの
構成によれば、１枚の放熱フィン１５ａを一対の光源ユニット１４用の放熱フィンとして
共有化することが可能になった。なお、各光源ユニット１４の直列に接続されたＬＥＤ１
１は、図７に示すように、コネクタｃによって並列になるように接続される。本実施形態
において、照明装置１０の全長Ｌ１は、約６００ｍｍ（直管形蛍光ランプ２０Ｗに相当）
、幅Ｗ１は約５０ｍｍ、高さＨ１が約３０ｍｍの細く長い長尺の照明装置として構成され
る。
【００２２】
上記に構成された照明装置１０は、点灯装置と組み合わされて、ランプや各種照明器具
の光源として組み込まれ使用される。なお、上記に構成された照明装置１０は、ＬＥＤの
前面にカバー部材を設けてもよいし、例えば、筒状の透光性部材等のカバー部材内に全体
を収納するようにしてもよい。
【００２３】
本実施形態では、上記に構成された照明装置１０を光源とした口金付ランプを構成した
。次に、その口金付ランプの構成につき説明する。本実施形態の口金付ランプ２０は、図
３に示すように、上記に構成された照明装置１０と、光源ユニット１４に設けられる透光
性のカバー部材２１と、光源ユニット１４に電源を供給し、光源ユニットよりも長手方向
に突出しない口金２２と、ＬＥＤ１１を点灯する点灯装置２３で構成する。
【００２４】
カバー部材２１は、透明または半透明で光拡散性を有する合成樹脂、本実施形態では、
乳白色のＰＣ（ポリカーボネート）樹脂製の矩形状のパネルで構成する。このカバー部材
２１は、光源ユニット１４の熱伝導部材１２と略同様の大きさに形成され、箱体の開口部
１２ａに対して、各ＬＥＤ１１を覆うようにして嵌めこまれる。
【００２５】
電源を供給する口金２２は、有底の円筒状をなす金属、本実施形態ではアルミニウムか
らなる口金体２２ａと、口金体の底面に電気絶縁板２２ｂを介して取り付けられた一対の
ピン端子２２ｃ、２２ｃで構成する。このピン端子は、既存の直管形蛍光ランプ用のソケ
ットに対し、そのまま装着できる大きさ、間隔寸法に構成する。この口金２２は、同様構
成のものが一対用意される。
【００２６】
ＬＥＤ１１を点灯する点灯装置２３は、図４（ｄ）に示すように、交流電圧１００Ｖを
直流電圧２４Ｖに変換して、ＬＥＤ１１に定電流の直流電流を供給する点灯回路で構成さ
れ、この点灯回路を構成する電子部品２３ａと、電子部品を実装するための回路基板２３
ｂからなる。この回路基板は、平板状の薄く細長い矩形状をなすガラスエポキシ樹脂で構
成され、片面または両面に回路パターンが形成され、その実装面に複数の小形の電子部品
２３ａが実装される。上記に構成された回路基板２３ｂは、有底の円筒状をなす一方の口
金体２２ａ内に挿入され、点灯装置２３が口金２２内に収納される。なお、口金体２２ａ
の開口は蓋体２３ｄによって閉塞される。
【００２７】
上記に構成された一対の口金２２は、次のようにして照明装置１０に組み込まれて口金
付ランプが構成される。すなわち、照明装置１０の両端部には支持板２４が設けられる。
支持板２４は、白色の塗装鋼板からなり、その支持面に対して口金２２が１個ずつ載置さ
れ、支持バンド２４ａを用いネジによって固定される。一対の口金２２は、それぞれの端
子ピン２２ｃ、２２ｃが互いに向き合う方向にし、かつ光源ユニット１４よりも長手方向
に突出しないようにして照明装置１０の両端部に固定される。
【００２８】
また、図７（ａ）に示すように、点灯装置２３の入力端子ａ、ｂが一対のピン端子２２
ｃ、２２ｃに接続され、出力端子ｃ、ｄが各光源ユニット１４の入力端子ｅ、ｆに接続さ
れる。なお、他方の口金には点灯装置等の電装部品は収納されないので、ピン端子２２ｃ
、２２ｃは、専らランプをソケットに装着するために設けられる。
【００２９】
これにより、一対の光源ユニット１４に乳白色のカバー部材２１が設けられ、両端部に
口金２２を有し、一方の口金に点灯装置２３を内蔵した直管形の口金付ランプ２０が構成
される。本実施形態において、口金付ランプの全長Ｌ２は、口金２２を光源ユニット１４
よりも長手方向に突出しない構成となしたので、照明装置１０の全長Ｌ１と同様に、約６
００ｍｍ（直管形蛍光ランプ２０Ｗに相当）に構成され、幅Ｗ２は約５０ｍｍ、高さＨ２
が約５０ｍｍの細く長い長尺の口金付ランプとして構成される。
【００３０】
また、図７（ｂ）に示すように、口金２２内に点灯装置を内蔵せずに、口金２２のピン
端子２２ｃ、２２ｃを光源ユニット１４の入力端子ｅ、ｆに接続することにより、別置き
の点灯装置２３によって点灯される（点灯装置を内蔵しない）口金付ランプ３０が構成さ
れる。
【００３１】
そして、これらの口金付ランプ２０、３０は、上述したように照射角度αが広い照明装
置１０を発光源としたので、光源直下に光が集中することなく周囲が明るくなる配光特性
をもった照明を口金付ランプ単体で行うことができる。同時に、光源をＬＥＤとしたので
、省エネで長寿命の口金付ランプを構成することが可能になる。しかも、各ＬＥＤ１１か
ら発生する熱は効果的に外部に放熱され、各ＬＥＤにおける発光効率の低下を抑制するこ
とができ、長期にわたり明るさの低下しない口金付ランプを提供することが可能になる。
【００３２】
上記に構成された点灯装置内蔵形の口金付ランプ２０および点灯装置を内蔵していない
口金付ランプ３０は、それぞれ、照明器具の光源として用いられる。次に、上述した口金
付ランプを用いた照明器具の構成につき説明する。図５に示すように、本実施形態の照明
器具４０は、天井直付け形のベースライトとして構成したもので、器具本体４１と、上述
した点灯装置を内蔵した口金付ランプ２０を装着するソケット４２で構成する。器具本体
４１は、白色の塗装鋼板で構成され、底面が開口された長尺の箱体からなるケース体４１
ａと、開口を塞ぎ天井面に設置される底板４１ｂで構成する。
【００３３】
ソケット４２は、既存の蛍光ランプ用の一対のソケットで構成され、ケース体４１ａの
上面に所定の間隔、すなわち、口金付ランプ２０の口金２２が装着できる間隔寸法を有し
て取り付けられる。そして、図７（ａ）に示すように、一対のソケットに対して電源線ｗ
１、ｗ１を接続し、口金付ランプ２０をソケット４２に装着することによって照明器具４
０が構成される。なお、電源線ｗ１、ｗ１は、両方のソケット４２、４２に接続されてい
るので、口金付ランプ２０の装着は、左右の向きを逆にしてもよく、従来の蛍光ランプを
装着する方法と同様の方法によって簡単に装着することができる。また、ランプの交換も
同様にして行うことができる。
【００３４】
上記に構成された照明器具４０を天井面に設置し電源Ｅに接続すると、一方のソケット
４２から点灯装置２３を介して口金付ランプ２０に電源Ｅが供給されて点灯する。また、
点灯装置を内蔵していない口金付ランプ３０によって、照明器具４０´を構成する場合は
、図７（ｂ）に示すように、器具本体４１内に点灯装置２３を別置きに設置し、点灯装置
２３の出力端子を両方のソケット４２、４２に接続して構成すればよい。
【００３５】
これら、照明器具４０および照明器具４０´は、上述した点灯装置を内蔵した口金付ラ
ンプ２０または点灯装置を内蔵しない口金付ランプ３０を光源として用いたので、照射角
度αが広く器具直下に光が集中することなく周囲が明るくなる配光特性をもった照明を行
うことができる。これは、器具の反射板を格別に構成することなくできる。同時に、省エ
ネで長寿命の照明器具を構成することが可能になる。しかも、長期にわたり明るさの低下
しない照明器具を提供することが可能になる。本実施形態における照明器具４０、４０´
の全長Ｌ３は、約６００ｍｍ、幅Ｗ３は約５０ｍｍ、高さＨ３が約７０ｍｍの細く長い長
尺のベースライトとして構成される。
【００３６】
以上、本実施形態によれば、背面側が所定の間隔Ａを有して対向するように配設された
一対の光源ユニット１４により、広い照射角度αを得ることができるとともに、１枚の放
熱フィン１５ａを一対の光源ユニット１４用の放熱フィンとして共有化することが可能に
なり、部品点数を削減するとともに、装置の小形化を図ることも可能な照明装置、口金付
ランプおよび照明器具を提供することができる。
【００３７】
また、放熱フィン１５ａは、間隔Ａによって形成された長尺な空間部Ｓ内に、光源ユニ
ット１４の長手方向に略直交し、鉛直方向に所定の隙間Ｂを有して多数が配設されている
ので、各ＬＥＤ１１で発生する熱は、効果的に外部に放熱され、各ＬＥＤにおける発光効
率の低下を抑制することが可能になる。同時に、一対２個の光源ユニット１４における放
熱フィンを、１枚の放熱フィン１５ａで共有する構成と相まって、さらなる装置の小形化
を一層図ることが可能になる。
【００３８】
以上、本実施形態において、口金付ランプは、既存の、例えば、２０Ｗの直管形蛍光ラ
ンプ（全長６００ｍｍ）に替えてそのまま装着することができるように構成してもよい。
すなわち、口金付ランプを既存の照明器具５０のソケットにそのまま装着できるように、
口金間の間隔寸法を、既存照明器具のソケット間の寸法に略等しい寸法（約６００ｍｍ）
に構成する。したがって、器具の全長は、ソケット間寸法６００ｍｍ＋口金長（約２５ｍ
ｍ）×２＝約６５０ｍｍに構成される。なお、本実施形態の口金付ランプ１０では、口金
２２が端子ピン２２ｃ、２２ｃを互いに向き合う方向にし、かつ光源ユニット１４の長手
方向に突出しないように設けた場合について説明したが、既存照明器具に取付ける構成と
する場合には、図８に示すように、口金２２の端子ピン２２ｃ、２２ｃが口金付ランプ２
０の外側を向くようにし、かつ口金付ランプ２０の長手方向に突出しない構成とすること
で、器具の全長６５０ｍｍの一杯の長さの口金付ランプを構成することができ、既存の２
０Ｗの直管形蛍光ランプ（全長６００ｍｍ）より長い発光部を有する器具を構成すること
が可能となる。
【００３９】
そして、既存の照明器具の光源として用いる場合には、次のように組み込んで使用され
る。先ず、点灯装置２３を内蔵した口金付ランプ２０の場合には、図８（ａ）に示すよう
に、蛍光ランプ用の点灯装置６０（安定器）をソケット４２から切り離し、ソケット４２
を電源線ｗ１に直接接続する。そして口金付ランプ２０の一対の口金２２、すなわち点灯
装置２３を収納した口金２２を、電源線ｗ１を接続したソケット４２に装着する。これに
より、口金付ランプ２０は、電源線ｗ１さらにソケット４２を介して電源Ｅに接続され点
灯される。
【００４０】
また、点灯装置を内蔵していない口金付ランプ３０の場合には、図８（ｂ）に示すよう
に、蛍光ランプ用の点灯装置６０（安定器）をソケット４２から切り離し、口金付ランプ
３０用の別置きの点灯装置２３を入れて、点灯装置の入力端子に電源線ｗ１を接続し、出
力端子とソケット４２を接続する。これにより、口金付ランプ３０は、電源線ｗ１から点
灯装置２３さらにソケット４２を介して電源Ｅに接続され点灯される。上記のように、既
存の照明器具５０に組み込まれた口金付ランプは、上述したように照射角度αが大きな照
明装置１０を光源としたので、器具直下に光が集中することなく周囲が明るくなる配光特
性をもった照明を行うことができる。これは、既存照明器具の反射板の性能に拘わりなく
実現できる。同時に、既存の照明器具を省エネやランプの長寿命化を図った器具に構成す
ることが可能になる。
【００４１】
また、図９（ａ）に示すように、背面側が所定の間隔Ａを有して対向するように配設さ
れた一対の光源ユニット１４は、光源直下の光を補うために、補助ユニット１４´を設け
るようにしてもよい。この場合、補助ユニットは放熱部１５の放熱作用を阻害しないよう
に、両側に隙間、若しくは長手方向に対して所定の間隔を有して配設する。
【００４２】
一対の光源ユニット１４は、図９（ｂ）に示すように、略鉛直方向に略平行となるよう
に配置してもよい。これにより、照射角度αをさらに広くすることが可能になる。この場
合も光源直下の光を補うために、補助ユニット１４´を設けるように構成するとよい。さ
らに、図９（ｃ）に示すように、一対の光源ユニット１４は、互いに異なる斜め上方に傾
斜した富士山形に配置するようにしてもよい。これによれば、照射角度αをさらに広くす
ることができ、天井面Ｘに光を向けて反射させる間接的な照明を行うことが可能になる。
この場合も光源直下の光を補うために、補助ユニット１４´を設けるように構成するとよ
い。
【００４３】
図１０（ａ）に示すように、一対の光源ユニット１４は、２対以上にして設けるように
構成してもよい。これによれば、各光源ユニット１４の間に隙間Ｂ´が形成され、外気が
両側の側面方向からも吸い込むことができ、一層効果的な放熱を行うことが可能になる。
【００４４】
さらに、一対の光源ユニット１４は、それぞれの光学的特性（全光束、色温度、演色性
等）を別々に設計するようにしてもよい。例えば、図１０（ｂ）に示すように、鉄道車両
用のベースライトにおいて、天井や壁に掲載されている広告Ｄや座っている乗客Ｆを照ら
す側の光源ユニット１４−１は、高演色（Ｒａ８０程度)に構成し、客車空間を照らす側
の光源ユニット１４−２は、中演色（Ｒａ７０程度）で高い全光束を優先するように設計
する。
【００４５】
また、図１１（ａ）に示すように、放熱部１５の放熱フィン１５ａは、斜めに傾斜させ
て設け、放熱面積を広くするようにしてもよい。さらに、図１１（ｂ）に示すように、放
熱フィンを段状に形成し、さらに放熱面積を広くするようにしてもよい。
【００４６】
また、カバー部材２１は、光源ユニット１４に設けずに、各光源ユニット１４を外側か
ら覆うグローブで構成するようにしてもよい。すなわち、図１２（ａ）に示すように、カ
バー部材２１を、両端が開放され上方に開口部２１ａが形成された長尺の略直管状をなす
一体の筒形に形成する。カバー部材２１は、断面形状が略半円形をなすように形成された
光透過部２１ｂと、上方の開口部２１ａの周囲を平坦にすることによって形成された取付
部２１ｃで構成する。
【００４７】
また、口金２２を支持するための支持板２４は、その両側部を若干下方に折り曲げて形
成した取付部２４ｂを一体に形成し、この取付部２４ｂにカバー部材２１の取付部２１ｃ
を支持するように構成する。これにより、光源ユニット１４の各ＬＥＤ１１がカバー部材
２１によって覆われるとともに、筒形をなすカバー部材の一端の開口から空気が取り入れ
られ、放熱フィン１５ａで熱交換が行われ、他方の開口から空気が放出されることによっ
て各ＬＥＤ１１から発生するが放熱される。
【００４８】
また、口金付ランプは、いずれの方向からでも装着できるように構成したが、装着方向
を限定するように構成してもよい。これによれば、両方のソケットに電源線を接続する必
要がなくなり、器具内の配線を簡略化することができる。この場合、点灯装置が内蔵され
た口金と内蔵されない口金は、マーク等で区分けのために表示を付すようにする。区分け
は、各口金の色分け等によって行うようにしても、または、点灯装置を内蔵する口金には
、放熱用の空気孔を形成することによって区分けしてもよい。
【００４９】
さらに、本実施形態において、固体発光素子は、ＬＥＤで構成したが、半導体レーザ、
有機ＥＬなどの固体発光素子で構成されることが許容される。固体発光素子は、薄い平板
状で長尺な矩形状をなす基板１１ａに一列に略直線状をなし、かつ略等間隔に配設したが
、多数の固体発光素子をマトリックス状に配置したものや、千鳥状または放射状など、規
則的に一定の順序をもって一部または全体が面状に配置され実装されたものであってもよ
い。
【００５０】
基板１１ａおよび点灯装置２３の回路基板２３ｂをガラスエポキシ樹脂で構成したが、
熱伝導性の良好なアルミニウム等の金属やセラミックスで構成してもよい。特に基板１１
ａを熱伝導性の良好なアルミニウム等の金属やセラミックスで構成することによって、ヒ
ートシンクとしての作用を兼用させることが可能となり、熱伝導部材１２を省略するよう
に構成してもよい。
【００５１】
また、本実施形態では、１本の照明装置１０で口金付ランプ２０、３０を構成したが、
図１２（ｂ）に示すように、複数本の照明装置１０を連結し、用途に合わせた長さの各種
の口金付ランプ、さらには照明器具等を構成するようにしてもよい。この場合、本実施形
態の口金付ランプは、口金を照明装置の上側に設け、さらに口金が光源ユニットよりも長
手方向に突出しないので、口金によって連結部分Ｃには隙間、すなわち、点灯時における
暗部が形成されず、発光部分が連続した所謂シームレス構造とすることができる。これに
より、発光部分が１本に連続し、光の連続性を実現した照明装置、口金付ランプさらには
照明器具となり、長手方向に沿った均等な照明を行うことが可能となる。また、カバー部
材２１は、透明または半透明のガラスで構成してもよい。さらには、これらカバー部材を
青色や赤色等に着色したものであってもよい。口金２２は、エジソンタイプの口金で構成
されたものであってもよい。
【００５２】
次に、本発明の第２の実施形態につき図に従い説明する。
【第２の実施形態】
【００５３】
本実施形態は、光源であるＬＥＤの放熱性を良好にするとともに、照明空間における照射面積を広くすることが可能な照明装置、口金付ランプおよび照明器具を提供しようとするものである。先ず、照明装置の構成につき説明する。照明装置１０は、図１３に示すように、固体発光素子であるＬＥＤ１１が配設され、ＬＥＤ１１に熱的に接続された熱伝導部１２を有するとともに、熱伝導部１２が所定の間隔Ａを有して対向するように配設された一対の光源ユニット１４と；前記一対の光源ユニット１４の間にそれぞれの前記熱伝導部１２と熱伝導が可能になるように配設され、フィン面が鉛直方向に対し略平行となるように配設された複数の放熱フィン１５ａを有し、各放熱フィン間を介し前記光源ユニットの間が連通するように設けられた放熱部１５で構成する。なお、本実施形態を示す図１３〜図２１には、実施形態１と同一部分に同一符合を付して説明する。
【００５４】
固体発光素子１１は、第１の実施形態と同様にＬＥＤ１１で構成し、複数個のＳＭＤタイプのＬＥＤからなる。なお、ＬＥＤ１１は、複数個のＬＥＤチップおよびこのＬＥＤチップにより励起される蛍光体により白色（昼白色、昼光色、電球色を含む）を発光するＣＯＢ形であってもよい。これら複数個のＬＥＤ１１は、図１３（ｂ）に示すように、略正方形をなす基板１１ａの表面にマトリックス状に実装されて配設される。
【００５５】
基板１１ａの裏面側には、熱伝導部１２である熱伝導部材１２が設けられ、熱伝導部材１２は、熱伝導性の良好な金属であるアルミダイカストで構成され、一面に開放された開口部１２ａを有する浅い皿状をなす略正方形の箱体で構成する。この箱体は、基板１１ａを収容できる大きさに形成し、その底面の中央部分に略正方形をなす基板１１ａの裏面側を密着させて固定し、熱伝導部材１２がＬＥＤ１１に熱的に接続される。これにより、下面側に固体発光素子であるＬＥＤ１１が配設され、上面側にＬＥＤ１１と熱伝導が可能になるように設けられた熱伝導部材１２を有する略正方形をなす光源ユニット１４が構成される。この光源ユニット１４は、同様構成のものが、少なくとも一対用意される。
【００５６】
一対の略正方形をなす光源ユニット１４は、それぞれの側面側が所定の間隔Ａを有して対向するように、換言すれば、下面側、すなわち、各ＬＥＤ１１が設置時に下方に向くように、互いに同一平面上に位置するように配設される。そして、各光源ユニット１４は、その間隔Ａによってそれぞれの光源ユニット１４の間が連通するようにして設けられ、間隔Ａ内に縦断面が略矩形状をなす空間部Ｓが形成される。この空間部に連通する下方の開放部を空気流入口１４ａとし、上方の開放部を空気流出口１４ｂとなすように構成する。
【００５７】
放熱部１５は、各光源ユニット１４の間隔Ａ内に、フィン面が鉛直方向に対し略平行となるように配設され、かつ鉛直方向に所定の隙間Ｂを有して配設された複数枚、本実施形態では２枚の放熱フィン１５ａと、各光源ユニット１４の背面側に形成された熱伝導部、すなわち、熱伝導部材１２と熱的に結合する取付部１５ｂを有する。各放熱フィン１５ａは、熱伝導性の良好な金属、本実施形態ではアルミニウム板で構成され、間隔Ａの縦断面が略矩形状をなす空間部Ｓに合致して収容されるように、略矩形状をなす板状に形成される。各放熱フィン１５ａは左右の辺がＬ字形に折り曲げられて取付部１５ｂが形成され、この取付部１５ｂが、熱伝導部材１２の浅い皿状をなす箱体の側面板に溶接やネジ止め等の手段によって固定される。
【００５８】
これにより、放熱フィン１５ａおよび取付部１５ｂは一体化して放熱部１５として構成され、放熱フィン１５ａが、両側の各光源ユニット１４の熱伝導部材１２と熱伝導が可能になるように連結され、１枚の放熱フィン１５ａによって、一対２個の光源ユニット１４の放熱が同時に行われるように構成される。この際、２個の光源ユニット１４および放熱フィン１５ａは、同一の構成をなしており、２個の光源ユニット１４それぞれが略均等に放熱される。
【００５９】
上記により構成された照明装置１０は、一対の略正方形をなす光源ユニット１４が、互いに同一平面上に位置するように配設されているため、長方形の広い照射面積をもった照明を行うことが可能になる。また、各ＬＥＤ１１から発生する熱は、各光源ユニット１４の基板１１ａからアルミニウム製の熱伝導部材１２に伝達され、さらに熱伝導部材に連結されたアルミニウム製の放熱フィン１５ａに伝達される。そして、放熱フィンに伝達された熱は、下方の空気流入口１４ａから吸い込まれた外気と熱交換して冷却され、熱交換した空気は上方の空気流出口１４ｂから外気に放出される。
【００６０】
この際、放熱フィン１５ａは、間隔Ａによって形成された空間部Ｓ内に、フィン面（板面）が鉛直方向に対し略平行となるように配設され、かつ鉛直方向に所定の隙間Ｂを有して２枚が配設されているので、空気流入口１４ａから吸い込まれた外気の流れと放熱フィン１５ａのフィン面とが略平行になるため、吸入された外気の流速が弱められることがなく、煙突効果によって外気が次々とスムーズに空気流入口１４ａから吸い込まれ、熱交換された空気が空気流出口１４ｂから放出されて効果的な熱交換が行われ、一対２個の光源ユニット１４における放熱フィンを１枚の放熱フィン１５ａで共有する構成と相まって、装置の小形化を一層図ることが可能になる。因みに、放熱フィン１５ａを、各ＬＥＤ１１の配列方向に平行に形成した場合、すなわち、フィン面が鉛直方向に対し直交するように配設された場合には、フィン面に空気が当たり流速が弱められることから放熱の際の空気の流れがスムーズでなく、冷却効率が低く広い面積の放熱フィンが必要となって装置の大形化を招く。また、放熱フィンのフィン面に塵埃等が堆積したりして、放熱フィンの表面積が減少し、さらには、フィンとフィン間に形成される溝に塵埃等が付着し、放熱効果が低下するとともに掃除のための手間がかかる問題が生じる。
【００６１】
上述した良好な熱交換作用により、各ＬＥＤ１１から発生する熱は効果的に外部に放熱され、各ＬＥＤにおける発光効率の低下を抑制することが可能になった。また、本実施形態の照明装置１０によれば、互いに同一平面上に位置するように配設された一対の略正方形をなす光源ユニット１４により、長方形の広い照射面積を得ることができるとともに、各光源ユニット１４間に空気流入口１４ａおよび空気流出口１４ｂを設け、それぞれの光源ユニットの間が下方から上方へ向かって連通するようにしたので、高い放熱性を発揮することができる。なお、各光源ユニット１４に直列に接続されたＬＥＤ１１は、第１の実施形態と同様に、図７に示すように、コネクタｃによって並列になるように接続される。本実施形態において、図１３に示すように、照明装置１０の全長Ｌ４は、約１８０ｍｍ、幅Ｗ４は約８０ｍｍ、高さＨ４が約１３ｍｍの長方形の平面状をなす照明装置として構成される。
【００６２】
上記に構成された照明装置１０は、点灯装置と組み合わされて、ランプや各種照明器具の光源として組み込まれ使用される。なお、上記に構成された照明装置１０は、実施形態１と同様に、ＬＥＤの前面にカバー部材を設けてもよいし、例えば、筒状の透光性部材等のカバー部材内に全体を収納するようにしてもよい。
【００６３】
本実施形態では、上記に構成された照明装置１０を光源とした口金付ランプを構成した。次に、その口金付ランプの構成につき説明する。本実施形態の口金付ランプ２０は、図１４に示すように、上記に構成された長方形の平面状をなす照明装置１０と、各光源ユニット１４に設けられる透光性のカバー部材２１と、各光源ユニット１４に電源を供給する口金２２と、ＬＥＤ１１を点灯する点灯装置２３で構成する。
【００６４】
カバー部材２１は、ランプのグローブを構成するもので、透明または半透明で光拡散性を有する合成樹脂、本実施形態では、乳白色のＰＣ（ポリカーボネート）樹脂製の略正方形をなすパネルで構成する。このカバー部材２１は、各光源ユニット１４の熱伝導部材１２と略同様の大きさに形成され、箱体の開口部１２ａに対して、各ＬＥＤ１１を覆うようにして嵌めこまれる。
【００６５】
電源を供給する口金２２は、一対のピン端子２２ｃ、２２ｃで構成する。この口金２２は、同様構成のものが一対２個が用意され、図１４（ｂ）に示すように、平面状に配設された一対２個の光源ユニット１４がなす片側の長辺において、隣接する角部の側面に位置して外方に突出するように１個づつが設けられる。
【００６６】
ＬＥＤ１１を点灯する点灯装置２３は、交流電圧１００Ｖを直流電圧２４Ｖに変換して、ＬＥＤ１１に定電流の直流電流を供給する点灯回路で構成され、一方の光源ユニット１４の熱伝導部材１２の上面に電気絶縁をなして設けられる。
【００６７】
また、第１の実施形態と同様に、図７（ａ）に示すように、点灯装置２３の入力端子ａ、ｂが一対のピン端子２２ｃ、２２ｃに接続され、出力端子ｃ、ｄが各光源ユニット１４の入力端子ｅ、ｆに接続される。なお、他方の光源ユニット１４の口金２２には点灯装置が接続されないので、ピン端子２２ｃ、２２ｃは、専らランプをソケットに装着するために設けられる。
【００６８】
これにより、一対の略正方形をなす光源ユニット１４に乳白色のカバー部材２１が設けられ、角部の側面に口金２２を有し、一方の光源ユニット１４に点灯装置２３を設けた長方形の平面状をなす口金付ランプ２０が構成される。本実施形態において、図１４に示すように、口金付ランプ２０の全長Ｌ５は、口金２２を光源ユニット１４よりも長手方向に突出しない構成となしたので、照明装置１０の全長Ｌ４と同様に、約１８０ｍｍに構成され、幅Ｗ５は約８０ｍｍ、高さＨ５が約２５ｍｍの長方形の平面状をなす口金付ランプとして構成される。
【００６９】
また、第１の実施形態と同様に、図７（ｂ）に示すように、光源ユニット１４に点灯装置を設けずに、口金２２のピン端子２２ｃ、２２ｃを光源ユニット１４の入力端子ｅ、ｆに接続することにより、別置きの点灯装置２３によって点灯される（点灯装置を設けない）口金付ランプ３０が構成される。
【００７０】
そして、これらの口金付ランプ２０、３０は、上述したように一対の略正方形をなす光源ユニット１４が、互いに同一平面上に位置するように配設された長方形の広い照射面積を有する照明装置１０を発光源としたので、長方形の部屋に沿う配光特性をもった照明を、口金付ランプ単体で行うことができる。同時に、光源をＬＥＤとしたので、省エネで長寿命の口金付ランプを構成することが可能になる。しかも、各ＬＥＤ１１から発生する熱は効果的に外部に放熱され、各ＬＥＤにおける発光効率の低下を抑制することができ、長期にわたり明るさの低下しない口金付ランプを提供することが可能になる。
【００７１】
上記に構成された点灯装置を設けた口金付ランプ２０および点灯装置を設けない口金付ランプ３０は、第１の実施形態と同様に、それぞれ、照明器具の光源として用いられる。次に、上述した口金付ランプを用いた照明器具の構成につき説明する。図１５に示すように、本実施形態の照明器具４０は、天井直付け形のベースライトとして構成したもので、器具本体４１と、上述した点灯装置を設けた口金付ランプ２０を装着するソケット４２で構成する。器具本体４１は、白色の塗装鋼板で構成され、横断面が略正方形をなす筒形の箱体からなるケース体４１ａと、ケース体の上面の開口を塞ぎ、天井面に設置するためのベース体となる底板４１ｂで構成する。
【００７２】
ソケット４２は、口金付ランプ２０の一対の口金２２のピン端子２２ｃ、２２ｃを挿入して装着することが可能な一対のソケットで構成され、ケース体４１ａの隣接する角部の側面に位置して、１個づつが設けられる。そして、第１の実施形態と同様に、図７（ａ）に示すように、一対のソケットに対して電源線ｗ１、ｗ１を接続し、口金付ランプ２０をソケット４２に装着することによって照明器具４０が構成される。なお、口金付ランプ２０と器具本体４１は、取付部材４１ｃによって強固に取り付けられる。なお、取付部材４１ｃを設けずに放熱フィン１５ａのみで連結してもよい。また、電源線ｗ１、ｗ１は、両方のソケット４２、４２に接続されているので、口金付ランプ２０の装着は、表裏を逆にしても装着することができる。また、ランプの交換も同様にして行うことができる。図１５（ａ）中、４３は、２個のソケット４２がそれぞれ接続された端子台で、電源線を差し込むための差込端子を有している。
【００７３】
上記に構成された照明器具４０を天井面に設置し電源Ｅに接続すると、一方のソケット４２から点灯装置２３を介して口金付ランプ２０に電源Ｅが供給されて点灯する。また、点灯装置を設けない口金付ランプ３０によって、照明器具４０´を構成する場合は、第１の実施形態と同様に、図７（ｂ）に示すように、器具本体４１のケース体４１ａ内に点灯装置２３を別置きに設置し、点灯装置２３の出力端子を両方のソケット４２、４２に接続して構成すればよい。
【００７４】
これら、照明器具４０および照明器具４０´は、点灯装置を設けた口金付ランプ２０または点灯装置を設けない口金付ランプ３０、すなわち、長方形の広い照射面積を有する口金付ランプ２０、３０を発光源としたので、長方形の部屋に沿う配光特性をもった照明を行うことができる。これは、器具の反射板を格別に構成することなくできる。同時に、省エネで長寿命の照明器具を構成することが可能になる。しかも、長期にわたり明るさの低下しない照明器具を提供することが可能になる。図１５に示すように、本実施形態における照明器具４０、４０´の全長Ｌ６は、約１８０ｍｍ、幅Ｗ６は約１１０ｍｍ、高さＨ６が約４０ｍｍの長方形をなすベースライトとして構成される。
【００７５】
以上、本実施形態によれば、互いに同一平面上に位置するように配設された一対の略正方形をなす光源ユニット１４により、長方形の広い照射面積を得ることができるとともに、１枚の放熱フィン１５ａを一対の光源ユニット１４用の放熱フィンとして共有化することが可能になり、部品点数を削減するとともに、装置の小形化を図ることも可能な照明装置、口金付ランプおよび照明器具を提供することができる。
【００７６】
また、放熱フィン１５ａは、フィン面が鉛直方向に対し略平行となるように配設され、かつ鉛直方向に所定の隙間Ｂを有して配設されているので、各ＬＥＤ１１で発生する熱は、効果的に外部に放熱され、各ＬＥＤにおける発光効率の低下を抑制することが可能になる。同時に、一対２個の光源ユニット１４における放熱フィンを、１枚の放熱フィン１５ａで共有する構成と相まって、さらなる装置の小形化を一層図ることが可能になる。また、放熱フィンのフィン面に塵埃等が堆積することがなく、放熱フィン１５ａの表面積が減少することがなく、所望の冷却効果が清掃などメンテナンスを頻繁に施すことなく得ることが可能になる。
【００７７】
また、本実施形態の照明装置１０によって構成される口金付ランプ２０、３０および照明器具４０、４０´は、外表面には放熱フィンが設置されないために、外観を損なうことがなく、ランプおよび照明器具のデザインの自由度を向上させ、商品性を向上させることが可能になる。さらに、放熱フィン１５ａは、各光源ユニット１４を連結する機能を兼用させることができ、構成を簡素化しコスト的にも有利な照明装置、口金付ランプおよび照明器具を提供することが可能になる。なお、さらなる放熱性能が必要な場合には、照明装置１０、口金付ランプ２０、３０および照明器具４０、４０´の外表面にも多数の放熱フィンや放熱ピン等の放熱手段を設置するようにしてもよい。
【００７８】
以上、本実施形態において、一対の略正方形をなす光源ユニット１４によって構成された長方形の平面状をなす照明装置１０によって、長方形の平面状をなす口金付ランプ２０、３０および長方形のベースライトとしての照明器具４０、４０´を構成したが、図１６に示すように、点灯装置２３を設けた長方形の平面状をなす口金付ランプ２０を２個使用することによって、略正方形をなす平面状のベースライトからなる照明器具５０を構成してもよい。すなわち、２個の長方形の口金付ランプ２０を互いに同一平面上に位置するように配設する。詳細には、略正方形をなす４個の光源ユニット１４を、その発光部となる基板１１ａの中心点Ｏが、同心円Ｃ上に略等間隔に位置するように配置し、さらにその中心部に器具本体４１を配設する。
【００７９】
そして、２個の長方形の口金付ランプ２０が上記のように配置された状態で、対向して位置する光源ユニット１４は、その対向する側面側が所定の間隔Ａ´を有して配設される。これにより、一対の光源ユニット１４は、その間隔Ａ´によって各光源ユニット１４の間が連通するようにして設けられ、間隔Ａ´内に縦断面が略矩形状をなす空間部Ｓ´が形成される。この空間部に連通する下方の開放部を空気流入口１４ａ´とし、上方の開放部を空気流出口１４ｂ´となすように構成する。
【００８０】
そして、間隔Ａ´の略矩形状をなす空間部Ｓ´に新たな放熱部１５´が設けられ、この放熱部１５´によって２個の長方形の口金付ランプ２０は、対向する光源ユニット１４の各辺（長方形の口金付ランプ２０の長辺）が連結される。この新たな放熱部１５´は、各光源ユニット１４の間隔Ａ´内に、フィン面が鉛直方向に対し略平行となるように配設され、かつ鉛直方向に所定の隙間Ｂ´を有して配設された複数枚、本実施形態では２枚の放熱フィン１５ａ´と、各光源ユニット１４の背面側に形成された熱伝導部、すなわち、熱伝導部材１２と熱的に結合する取付部１５ｂ´を有する。そして、口金付ランプ２０に予め設けられた放熱フィン１５ａと同様に、熱伝導性の良好な金属、本実施形態ではアルミニウム板で構成され、間隔Ａ´の略矩形状をなす空間部Ｓ´に合致して収容されるように、略矩形状をなす板状に形成される。各放熱フィン１５ａ´は左右の辺がＬ字形に折り曲げられて取付部１５ｂ´が形成され、この取付部が、熱伝導部材１２の浅い皿状をなす箱体の側面板に溶接やネジ止め等の手段によって固定される。なお、本実施形態では、口金付ランプ２０に予め取り付けられた放熱フィン１５ａと、２個の口金付ランプの間に新たに設けられる放熱フィン１５ａ´は、同一の構成となし、共通部品として構成しコストダウンを図った。なお、異なる形状・材質・個数で構成してもよい。
【００８１】
これにより、新たに設けられた放熱フィン１５ａ´および取付部１５ｂ´は一体化して、新たな放熱部１５´として構成され、放熱フィン１５ａ´が対向する各光源ユニット１４の熱伝導部材１２と熱伝導が可能になるように連結され、１枚の放熱フィン１５ａ´によって、２個の口金付ランプ２０の放熱が同時に行われるように構成される。この際、４個の光源ユニット１４および放熱フィン１５ａ、１５ａ´は、同一の構成をなしており、４個の光源ユニット１４それぞれが略均等に放熱される。
【００８２】
また、器具本体４１には、２個の口金付ランプ２０の一対２個、計４個の口金２２のそれぞれのピン端子２２ｃ、２２ｃが挿入される４個のソケット４２が設けられる。４個のソケット４２は、筒体からなるケース体４１ａの各角部の側面に位置して１個づつが設けられ、各４個のソケット４２に対して電源線が接続され、２個の口金付ランプ２０をそれぞれソケット４２に装着することによって照明器具５０が構成される。なお、２個の口金付ランプ２０と器具本体４１は、取付部材４１ｃによって強固に取り付けられる。なお、取付部材４１ｃを設けずに放熱フィン１５ａのみで連結してもよい。また、電源線は、４個のソケット４２に接続されているので、２個の口金付ランプ２０の装着は、それぞれの表裏を逆にしても装着することができる。また、ランプの交換も同様にして行うことができる。図１６（ｂ）中、４３は、４個のソケット４２がそれぞれ接続された端子台で、電源線を差し込むための差込端子を有している。
【００８３】
上記により構成された照明器具５０は、２個の長方形の口金付ランプ２０が、互いに同一平面上に位置するように配設されて略正方形をなすように構成され、さらに広い照射面積をもった照明を行うことが可能になる。また、各ＬＥＤ１１から発生する熱は、各光源ユニット１４の基板１１ａから各熱伝導部材１２に伝達され、さらに各熱伝導部材に連結された放熱フィン１５ａおよび新たに設けられた放熱フィン１５ａ´にも伝達される。そして、各放熱フィン１５ａ、１５ａ´に伝達された熱は、下方の空気流入口１４ａと新たに設けられた下方の空気流入口１４ａ´から吸い込まれた外気と熱交換して冷却され、熱交換した空気は上方の空気流出口１４ｂと新たに設けられた上方の空気流出口１４ｂ´から外気に放出される。また、上述したように、４個の光源ユニット１４は、略均等に放熱されるため、各光源ユニット１４の発光色に色ムラや輝度ムラ等が生じ難くなる。
【００８４】
図１６の略正方形をなす照明器具５０によれば、口金付ランプ２０を構成する各光源ユニット１４は、基板１１ａおよび熱伝導部１２を略正方形にして、熱伝導部の中央部分に基板を配設することで、基板１１ａと熱伝導部１２との熱的な距離を略均等にして、基板１１ａにおける放熱性を略均等にしつつ、熱伝導部１２の大きさを最小限にすることができる。これにより、少なくとも４箇所の放熱部１５を用い、同心円状に４個の光源ユニット１４を配置させる簡素な構成によって、所望の放熱効果を略均等に得ることが可能になる。
【００８５】
図１６に示す照明器具５０は、２個の長方形の口金付ランプ２０によって、略正方形をなす照明器具を構成したが、図１７（ａ）に示すように、さらに１個または複数個の長方形の口金付ランプ２０を縦にして、略正方形をなす照明器具５０における両側辺の少なくとも一方の辺に対し、上記と同様にして新たな放熱フィン１５ａ´によって連結して配設し、さらに広い照射面積を有する長方形の照明器具５１を構成するようにしてもよい。若しくは、図１７（ｂ）に示すように、略正方形をなす照明器具５０の各辺にそれぞれ１個または複数個の長方形の口金付ランプ２０を縦・横に連結して配設し、全体が＋形をなす照明器具５２を構成するようにしてもよい。
【００８６】
さらに、図１８（ａ）に示すように、長方形の平面状をなす口金付ランプ２０の両側に長手方向に沿って、１個または複数個の長方形の平面状をなす口金付ランプ２０を、上記と同様にして新たな放熱フィン１５ａ´によって連結して配設し、さらに長く広い照射面積を有する長尺状の照明器具５３を構成するようにしてもよい。また、図１８（ｂ）に示すように、長方形の平面状をなす口金付ランプ２０のいずれかの辺に、略正方形をなす１個または複数個の光源ユニット１４を連結して、各種形状の照明器具５４を構成するようにしてもよい。
【００８７】
また、本実施形態において、図１９（ａ）に示すように、一対２個の光源ユニット１４の熱伝導部１２を略正三角形に構成し、それぞれの１辺の側面側が所定の間隔Ａを有して対向し、さらに、互いに同一平面上に位置するように配設し、間隔Ａ内にフィン面が鉛直方向に略平行するように配設された放熱フィン１５ａを設けることによって、全体として菱形の平面状をなす照明装置６０を構成し、この菱形の照明装置６０に口金２２を設けて菱形の平面状をなす口金付ランプ６１を構成してもよい。
【００８８】
さらに、この菱形の平面状をなす口金付ランプ６１を用いて、図１９（ｂ）に示すように、菱形の平面状をなす口金付ランプ６１の長手方向に沿って、１個または複数個の菱形の平面状をなす口金付ランプ６１を、上記と同様にして新たな放熱フィン１５ａ´によって連結して配設し、さらに長く広い照射面積を有する長尺状の照明器具７０を構成するようにしてもよい。さらに、図１９（ｃ）に示すように、菱形の平面状をなす口金付ランプ６１の一方の光源ユニット１４の残りの２辺に、略正三角形をなす新たな光源ユニット１４を互いに同一平面上に位置するように連結して配設する。詳細には、略正三角形をなす１個の光源ユニット１４を中心にして、残り３個の光源ユニット１４の発光部となる基板１１ａの中心点が、同心円上に略等間隔に位置するように配置し、全体として大きな略正三角形をなす広い照射面積を有する照明器具７１を構成するようにしてもよい。
【００８９】
また、本実施形態において、図２０（ａ）に示すように、一対２個の光源ユニット１４の熱伝導部１２を略正六角形に構成し、それぞれの１辺の側面側が所定の間隔Ａを有して対向し、さらに、互いに同一平面上に位置するように配設し、間隔Ａ内にフィン面が鉛直方向に略平行するように配設された放熱フィン１５ａを設けることによって、全体として略正六角形の光源ユニット１４が連続する平面状をなす照明装置８０を構成し、この照明装置８０に口金２２を設けて、略正六角形の光源ユニット１４が連続する平面状をなす口金付ランプ８１を構成してもよい。
【００９０】
さらに、この略正六角形の光源ユニット１４が連続する平面状をなす口金付ランプ８１を用いて、図２０（ｂ）に示すように、口金付ランプ８１の長手方向に沿って、１個または複数個の略正六角形の光源ユニット１４が連続する平面状をなす口金付ランプ８１を、上記と同様にして新たな放熱フィン１５ａ´によって連結して配設し、さらに長く広い照射面積を有する長尺状の照明器具９０を構成するようにしてもよい。さらに、図２０（ｃ）に示すように、略正六角形をなす１個の光源ユニット１４を中心にして、６個の光源ユニット１４の発光部となる基板１１ａの中心点が、同心円上に略等間隔に位置するように配置し、全体としてハニカム状の大きな略正六角形をなす広い照射面積を有する照明器具９１を構成するようにしてもよい。
【００９１】
また、本実施形態において、図２１（ａ）に示すように、一対２個の光源ユニット１４の熱伝導部１２を、大小、径の異なる略円形の２重のリング状をなす形状に構成し、径の大きな光源ユニット１４Ａの内周面と、径の小さな光源ユニット１４Ｂの外周面との間に、リング状をなす所定の間隔Ａを有するように対向させて配設する。さらに、互いに同一平面上に位置するように配設し、リング状をなす間隔Ａ内にフィン面が鉛直方向に略平行し、かつ径の小さな光源ユニット１４Ｂの円の中心を起点とした放射線上に略等間隔に位置するように配設された多数の放熱フィン１５ａを設けることによって、大きな光源ユニット１４Ａと径の小さな光源ユニット１４Ｂを連結し、全体として円形の２重のリング状をなす平面状の照明装置１００を構成し、この照明装置１００に口金２２を設けて、円形の２重のリング状をなす平面状の口金付ランプ１０１を構成してもよい。
【００９２】
さらに、この円形の２重のリング状をなす平面状の口金付ランプ１０１を用いて、図２１（ｂ）に示すように、大きな略円形をなす広い照射面積を有する照明器具１１０を構成するようにしてもよい。この照明器具１１０は、街路灯を構成するもので、径の小さな光源ユニット１４Ｂの中心部に支柱となるポール１１１が設置され、ポールの外周面と径の小さな光源ユニット１４Ｂの内周面が放熱フィンを兼ねる支持板１１２で固定されている。この街路灯によれば、ポール１１１を中心にした大きな円形の広い照射面積をもった街路灯としての照明を行うことができる。なお、略円形の２重のリング状をなす一対２個の光源ユニット１４は、三角形、四角形、六角形や八角形等の多角形、さらには楕円形に構成してもよい。さらに、これら構成の光源ユニットは２重に限らず３重、４重等に配設してもよい。
【００９３】
上述した正方形、長方形、三角形、六角形さらには円形等の光源ユニット、照明装置、口金付ランプを、それぞれ組み合わせて、例えば、長方形の口金付ランプと円形の口金付ランプを組み合わせて、各種形状の照明器具を構成してもよい。また、口金付ランプのピン端子を器具本体のソケットに装着して各種の照明器具を構成したが、口金およびソケットは、エジソンタイプでも、さらにはＧＸ５３形であってもよい。さらに、本実施形態において、照明器具は天井直付け形の照明器具や屋外の街路灯を構成したが、これらに限らず、ホテルのロビー、工場、倉庫等に使用される高天井器具を構成してもよい。
【００９４】
上述したこれら構成の照明器具によって、隣り合う光源ユニット１４の間に放熱フィン１５ａ、１５ａ´を設置することができ、所望の放熱効果を発揮させることができるとともに、必要な配光特性に合わせた各種形状・機能を有する多種・多様な照明器具を構成することができる。
【００９５】
なお、上記に構成した各種の照明器具は、点灯装置２３を設けた口金付ランプ２０によって照明器具をそれぞれ構成したが、点灯装置を設けない口金付ランプ３０によって照明器具を構成してもよい。この場合、使用する個数の口金付ランプに対して共通の点灯装置を、器具本体４１やポール等に内蔵させることによって構成するとよい。また、高天井器具等、大型の器具に場合には、点灯装置を天井裏等に設置することで、器具全体の軽量化を図るように構成してもよい。また、上述した各種の照明器具は、口金付ランプ２０、３０をソケット４２に装着することによって照明器具を構成したが、口金を有しないランプ、すなわち、照明装置１０を直接、器具本体４１内に組み込んで内部配線を施し照明器具を構成するようにしてもよい。
【００９６】
なお、本実施形態におけるその他の構成、作用、作用効果、変形例等は、第１の実施形態と同様である。以上、本発明の好適な実施形態を説明したが、本発明は上述の各実施形態に限定されることなく、本発明の要旨を逸脱しない範囲内において、種々の設計変更を行うことができる。
【符号の説明】
【００９７】
１０  照明装置
１１  固体発光素子
１２  熱伝導部
１４  光源ユニット
１５  放熱部
１５ａ  放熱フィン
Ａ    間隔
２０  口金付ランプ
２２  口金
４０  照明器具
４１  器具本体
４２  ソケット                                                                
【図１】
2012074344.tif 000003
【図２】
2012074344.tif 000004
【図３】
2012074344.tif 000005
【図４】
2012074344.tif 000006
【図５】
2012074344.tif 000007
【図６】
2012074344.tif 000008
【図７】
2012074344.tif 000009
【図８】
2012074344.tif 000010
【図９】
2012074344.tif 000011
【図１０】
2012074344.tif 000012
【図１１】
2012074344.tif 000013
【図１２】
2012074344.tif 000014
【図１３】
2012074344.tif 000015
【図１４】
2012074344.tif 000016
【図１５】
2012074344.tif 000017
【図１６】
2012074344.tif 000018
【図１７】
2012074344.tif 000019
【図１８】
2012074344.tif 000020
【図１９】
2012074344.tif 000021
【図２０】
2012074344.tif 000022
【図２１】
2012074344.tif 000023